(57)【要約】【課題】自重などで大きな負荷がかかる場合でも確実にシートを保持することができ、かつ、シートに穴を開けなくてもシートを保持することができるシート保持具を提供する。【解決手段】保持具本体１１は、シート体４０を挿入するための開口部２６に向けて、背面板１２と前面板１３との間隔が徐々に狭くなるように形成されており、前記保持具本体１１の開口部２６からシート体４０を挿入して締結部材３６を締結したときに、前記締結部材３６の先端が丸棒３５を前記開口部２６の方向へ押し込み、前記丸棒３５がシート体４０を押圧して保持するようにした。【選択図】図３
2019018521.tif 000002
【特許請求の範囲】
【請求項１】
背面板と前面板との間にシート体を挿入可能な挿入空間を形成した保持具本体と、
前記挿入空間に収容される丸棒と、
前記保持具本体に取り付けられる締結部材と、
を備え、
前記保持具本体は、シート体を挿入するための開口部に向けて、前記背面板と前記前面板との間隔が徐々に狭くなるように形成されており、
前記保持具本体の開口部からシート体を挿入して前記締結部材を締結したときに、前記締結部材の先端が前記丸棒を前記開口部の方向へ押し込み、前記丸棒がシート体を押圧して保持することを特徴とする、シート保持具。
【請求項２】
前記保持具本体は、前記締結部材に螺合するめねじ部を備えることを特徴とする、請求項１記載のシート保持具。
【請求項３】
前記保持具本体は、前記丸棒が前記挿入空間から脱落しないように、前記丸棒の両端部に臨む側壁部を備え、
前記側壁部は、シート体の挿入方向に見て前記開口部に重ならない位置に設けられていることを特徴とする、請求項１または２記載のシート保持具。
【請求項４】
前記保持具本体は、前記挿入空間に挿入したシート体の端部を視認可能に露出させる確認窓を備えることを特徴とする、請求項１〜３のいずれか１項に記載のシート保持具。
【請求項５】
前記保持具本体は、前記丸棒の周面を操作可能に露出させる操作窓を備えることを特徴とする、請求項１〜４のいずれか１項に記載のシート保持具。
【請求項６】
前記前面板は、前記開口部に向けて前記背面板に接近するように傾斜しており、
前記前面板の傾斜は複数段階であることを特徴とする、請求項１〜５のいずれか１項に記載のシート保持具。
【発明の詳細な説明】
【技術分野】
【０００１】
この発明は、ビニールカーテンなどのシート体を保持するためのシート保持具に関する。
【背景技術】
【０００２】
シート体を保持するための構造として、例えば特許文献１には、下縁に紙片の挿入口を形成して基板の前面に鍵形の傾斜板を具え、この傾斜板と基板との間に滑動自在のコロを設けて、挿入口から挿入された紙片をコロの降下によって抑止するよう構成したペーパーホルダーにおいて、前記コロの軸を支持枠によって支承するとともに、該支持枠と前記傾斜板または基板の上部との間にばねを介設し、このばねによって前記傾斜叛の内側に設けられたコロを挿入口の内縁に向けて強制的に圧接するようにしたものが開示されている。
【０００３】
また、特許文献２には、シートが挿入される内部空間を保有する保持具本体を主体として、その中に内装されるシート押えのローラー等の転子と、転子が回動可能に軸承されるようそれを上下可能に支持するスライダーと、スライダーを下方に付勢する弾性材とを具備し、保持具本体については、転子が遊回する余裕のある内部空間の間隔を保持する前面壁と後面壁とを上端の閉塞壁を介して一体成形するとともに、下端のシート挿入開口に順次内部空間が狭くなるように、前面壁と後面壁との少なくとも一方を傾斜して形成したシート保持具が開示されている。
【先行技術文献】
【特許文献】
【０００４】
【特許文献１】実願昭４７−４０６８７号（実開昭４９−１２４５号）のマイクロフィルム
【特許文献２】特開２００５−２１９２９２号公報
【発明の概要】
【発明が解決しようとする課題】
【０００５】
しかし、上記した特許文献１および特許文献２記載の構成は、紙などの比較的薄くて軽いシートを保持するのには適しているが、例えばビニールカーテンなどの重いシートを保持することは難しい。すなわち、コロをバネの付勢力によってシートに押し付けて保持しているため、保持力を高めるにはバネの力を強くする必要がある。しかしながら、バネの力を強くしすぎると、手の力でバネを圧縮できなくなってしまい、シートの着脱ができなくなってしまうからである。
【０００６】
このため、ビニールカーテンなどの重いシートを保持する場合には、このような保持具が使用できなかった。例えばビニールカーテンを吊るす場合には、ビニールカーテンに穴を開けて吊るす方法が一般的であった。しかしながら、フックの配設間隔に合わせてビニールカーテンに穴を開ける作業は煩雑であるし、開けた穴からビニールカーテンが裂けてしまう場合もあり、シートに孔を開けなくても保持できる機構が求められていた。
【０００７】
そこで、本発明は、自重などで大きな負荷がかかる場合でも確実にシートを保持することができ、かつ、シートに穴を開けなくてもシートを保持することができるシート保持具を提供することを課題とする。
【課題を解決するための手段】
【０００８】
本発明は、上記した課題を解決するためになされたものであり、以下を特徴とする。
請求項１記載の発明は、背面板と前面板との間にシート体を挿入可能な挿入空間を形成した保持具本体と、前記挿入空間に収容される丸棒と、前記保持具本体に取り付けられる締結部材と、を備え、前記保持具本体は、シート体を挿入するための開口部に向けて、前記背面板と前記前面板との間隔が徐々に狭くなるように形成されており、前記保持具本体の開口部からシート体を挿入して前記締結部材を締結したときに、前記締結部材の先端が前記丸棒を前記開口部の方向へ押し込み、前記丸棒がシート体を押圧して保持することを特徴とする。
【０００９】
請求項２に記載の発明は、上記した請求項１に記載の発明の特徴点に加え、前記保持具本体は、前記締結部材に螺合するめねじ部を備えることを特徴とする。
【００１０】
請求項３に記載の発明は、上記した請求項１又は２に記載の発明の特徴点に加え、前記保持具本体は、前記丸棒が前記挿入空間から脱落しないように、前記丸棒の両端部に臨む側壁部を備え、前記側壁部は、シート体の挿入方向に見て前記開口部に重ならない位置に設けられていることを特徴とする。
【００１１】
請求項４に記載の発明は、上記した請求項１〜３のいずれかに記載の発明の特徴点に加え、前記保持具本体は、前記挿入空間に挿入したシート体の端部を視認可能に露出させる確認窓を備えることを特徴とする。
【００１２】
請求項５に記載の発明は、上記した請求項１〜４のいずれかに記載の発明の特徴点に加え、前記保持具本体は、前記丸棒の周面を操作可能に露出させる操作窓を備えることを特徴とする。
【００１３】
請求項６に記載の発明は、上記した請求項１〜５のいずれかに記載の発明の特徴点に加え、前記前面板は、前記開口部に向けて前記背面板に接近するように傾斜しており、前記前面板の傾斜は複数段階であることを特徴とする。
【発明の効果】
【００１４】
請求項１に記載の発明は上記の通りであり、保持具本体の開口部からシート体を挿入して締結部材を締結したときに、締結部材の先端が丸棒を開口部の方向へ押し込み、丸棒がシート体を押圧して保持するようになっている。このような構成によれば、自重などで大きな負荷がかかる場合でも、締結部材の締結力で確実にシートを保持することができる。しかも、丸棒を動かすために大きな力が必要ないので、シートの保持や解除も容易である。また、シートに穴を開けなくてもシートを保持することができるので、作業性が良く、シートが裂ける心配もない。
【００１５】
また、請求項２に記載の発明は上記の通りであり、保持具本体は、締結部材に螺合するめねじ部を備える。このような構成によれば、保持具本体に締結部材を螺着させるだけでシートが保持できるので、シート保持具の構成をシンプルにし、かつ、部品点数を少なくすることができる。具体的には、保持具本体と丸棒と締結部材の３つの構成部品でシート保持具を構成することができ、しかも、丸棒と締結部材は汎用品を使用できるので、シート保持具の製造コストを抑制することができる。
【００１６】
また、請求項３に記載の発明は上記の通りであり、保持具本体は、丸棒が挿入空間から脱落しないように、丸棒の両端部に臨む側壁部を備え、側壁部は、シート体の挿入方向に見て開口部に重ならない位置に設けられている。このような構成によれば、保持具本体よりも幅の広いシート体を開口部から挿入したとしても、シート体が側壁部に干渉しない。よって、シート保持具で保持できるシート体の幅が限定されないので、使い勝手が良い。
【００１７】
また、請求項４に記載の発明は上記の通りであり、保持具本体は、挿入空間に挿入したシート体の端部を視認可能に露出させる確認窓を備える。このような構成によれば、シート体を開口部から挿入するときに、シート体の位置（例えば、シート体が奥まで差し込まれているかどうか）を確認しながら作業することができる。また、確認窓から手などを入れてシート体を押さえながら作業することもできる。よって、シート体を確実に意図した位置に固定することができ、作業性が良い。
【００１８】
また、請求項５に記載の発明は上記の通りであり、保持具本体は、丸棒の周面を操作可能に露出させる操作窓を備える。このような構成によれば、シート体を着脱するときに操作窓からドライバなどを挿し込んで丸棒を持ち上げることで、丸棒による押圧を解除することができる。すなわち、丸棒を持ち上げるための特別な構成を備えなくても、丸棒を容易に持ち上げることができる。
【００１９】
また、請求項６に記載の発明は上記の通りであり、前面板の傾斜は複数段階である。このような構成によれば、開口部から遠い側では傾斜を小さくして、前面板の突出を抑え、保持具本体をコンパクトに保つことができる。また、開口部に近い側では傾斜を大きくすることで、丸棒でシート体を押圧する力を働きやすくし、様々な厚みのシート体を保持可能とすることができる。
【図面の簡単な説明】
【００２０】
【図１】シート保持具の使用状態を示す図である。
【図２】保持具本体の（ａ）平面図、（ｂ）側面図、（ｃ）正面図である。
【図３】シート保持具にシート体を着脱する様子を示す図であって、（ａ）シート体を取り外した状態の図、（ｂ）シート体を取り付けた状態の図である。
【図４】複数のシート保持具を並設し、複数のシート体を保持した図である。
【図５】並設した複数のシート保持具で１つのシート体を保持した図である。
【発明を実施するための形態】
【００２１】
本発明の実施形態について、図を参照しながら説明する。なお、以下の説明においては、シート保持具１０によってシート体４０の上端を保持し、シート体４０を吊り下げ支持する場合の使用例について説明する。このため、シート体４０を挿入するための開口部２６の開口方向を「下方」、シート体４０の挿入方向を「上方」として説明する。ただし、本実施形態に係るシート保持具１０は、必ずしもこの配置で使用されるものではなく、たとえば、開口部２６を左右方向や鉛直上方へ向けた状態で使用してもよい。
【００２２】
本実施形態に係るシート保持具１０は、ビニールカーテンなどのシート体４０を保持するために使用されるものであり、例えば、壁面に取り付けられてシート体４０の上端を保持することで、シート体４０を吊り支持するものである。このシート保持具１０は、図１に示すように、保持具本体１１と、丸棒３５と、締結部材３６と、を備えて構成される。
【００２３】
保持具本体１１は、壁面などの平面に固定されて使用される金具であり、図２に示すように、加工した２枚の板金を接合して構成されている。２枚の板金は、背面側の背面板１２と、背面板１２の前面を覆う前面板１３と、からなる。そして、この背面板１２と前面板１３との間にシート体４０を挿入可能な挿入空間２５が形成されている。
【００２４】
背面板１２は、壁面などの平面に臨むように平坦に形成される。ただし、開口部２６を拡開させるために、背面板１２の下端部を屈折させて拡開縁１２ａを形成してもよい。
【００２５】
前面板１３は、上部が背面板１２に重ね合わされて接合されており、下部が前方に突出するように屈折した形状となっている。具体的には、前方に突出した庇部１４と、庇部１４の前端から下方へと垂下する前壁部１５と、を備える。
【００２６】
前壁部１５は、図２（ｂ）に示すように、下方に行くに従って徐々に背面板１２に接近するように斜め下方へと延設されている。これにより、前壁部１５は、開口部２６に向けて背面板１２に接近するように傾斜している。本実施形態においては、前壁部１５の傾斜は複数段階となっている。すなわち、背面板１２に対して傾斜の小さい第１傾斜部１６と、背面板１２に対して傾斜の大きい第２傾斜部１７と、を備える。第２傾斜部１７は、第１傾斜部１６の下方に連続するように形成されており、第１傾斜部１６と第２傾斜部１７との境目に屈折部１８が設けられている。言い換えると、前壁部１５は、第１傾斜部１６と第２傾斜部１７との境目である屈折部１８において屈折しており、屈折部１８を境に傾斜角度が変わるように形成されている。
【００２７】
なお、前壁部１５の下端は前方へと屈折しており、拡開縁１９を形成している。この拡開縁１９が設けられることで、開口部２６がハ字状に拡開している。開口部２６をハ字状に拡開させることで、シート体４０が風に煽られたりして前後に揺れた場合でも、開口部２６のエッジにシート体４０が当たらないので、シート体４０の損傷を防止することができる。また、開口部２６を拡開させることで、シート体４０を挿入しやすくなっている。
【００２８】
また、前壁部１５の両側部は、背面板１２の方向へとほぼ直角に屈折しており、これにより側壁部２０が形成されている。この側壁部２０は、挿入空間２５の両側部を覆うことで、後述する丸棒３５が挿入空間２５から脱落しないようにしている。詳しくは、側壁部２０は、図３等に示すように、挿入空間２５に収容された丸棒３５の両端部に臨んでおり、挿入空間２５の両側に丸棒３５の直径よりも大きな隙間ができないようにしている。
【００２９】
なお、この側壁部２０は、図３等に示すように、シート体４０の挿入方向（図３に示す上下方向）に見て開口部２６に重ならない位置に設けられている。このため、開口部２６から挿入したシート体４０が側壁部２０に干渉しないようになっている。
【００３０】
上記したように前壁部１５が前方に突出することで、背面板１２と前面板１３との間には挿入空間２５が形成される。この挿入空間２５は、下方において開口しており、シート体４０を挿入するための開口部２６が形成されている。この挿入空間２５は、上方が広く、下方が狭くなるように形成されている。すなわち、上記したように、前壁部１５は、開口部２６に向けて背面板１２に接近するように傾斜しているため、背面板１２と前面板１３との間隔は、開口部２６に向けて徐々に狭くなるように形成されている。
【００３１】
なお、この保持具本体１１の上部には、複数の取り付け孔２７が貫通形成されている。この取り付け孔２７は、保持具本体１１を吊り下げるためのものである。例えば、天井などにフックを固定し、取り付け孔２７をこのフックに引っ掛けることで、保持具本体１１を吊り下げることができる。そのほかにも、この取り付け孔２７にアンカーボルトを貫通させ、このアンカーボルトを壁面に打ち込むことで、保持具本体１１を壁面に固定してもよい。
【００３２】
本実施形態においては、この取り付け孔２７を利用して、背面板１２と前面板１３とを接合している。具体的には、背面板１２の取り付け孔２７の周りをバーリング加工し、バーリング加工で立ち上がらせた筒部を前面板１３の取り付け孔２７に挿通する。そして、前面板１３を貫通した筒部の先端をかしめることで、背面板１２と前面板１３とを接合している。
【００３３】
また、上記した前面板１３の庇部１４には、締結部材３６を取り付けるためのボルト挿入孔２８が形成されている。本実施形態に係るボルト挿入孔２８は、バーリング加工で形成された筒部の内側にめねじ部２８ａが形成されている。このめねじ部２８ａは、締結部材３６に螺合するように内周にネジが切られている。
【００３４】
丸棒３５は、上記した挿入空間２５に収容される棒状部材である。なお、この丸棒３５は、必ずしも断面が正円でなくてもよい。例えば、シート体４０との摩擦力を増すために、表面を切削加工したものや、角のあるものを使用してもよい。この丸棒３５は、挿入空間２５内で上下に転動自在となっている。この丸棒３５は、挿入空間２５の長手方向の幅よりもやや短い程度の長さで形成されている。また、この丸棒３５の直径は、開口部２６の開口幅（背面板１２と前面板１３との距離）よりも大きく形成されており、丸棒３５は開口部２６から脱落しないようになっている。
【００３５】
締結部材３６は、保持具本体１１に取り付けられて、丸棒３５を下方へと押圧するためのものである。本実施形態に係る締結部材３６は、図３に示すようなおねじ部材（ボルト）である。この締結部材３６は、ボルト挿入孔２８のめねじ部２８ａに螺合することで、上下に進退するように形成されている。このとき、庇部１４はやや斜めに形成されているため、めねじ部２８ａの軸もやや斜めを向いている。よって、めねじ部２８ａに取り付けられた締結部材３６の軸も、やや斜めに傾いている。そして、庇部１４は、第１傾斜部１６に対して略直角に形成されているため、締結部材３６の軸が、第１傾斜部１６とほぼ平行になるように形成されている。
【００３６】
なお、本実施形態に係る保持具本体１１は、挿入空間２５に挿入したシート体４０の端部を視認可能に露出させる確認窓２９を備えている。シート体４０を挿入空間２５に挿入すると、図１に示すように、シート体４０の上端部が確認窓２９から視認できるので、シート体４０の位置を確認しながら作業できるようになっている。本実施形態に係る確認窓２９は、図２（ａ）及び図２（ｃ）に示すように、庇部１４から前壁部１５にかけて開口形成されており、上方および前方からシート体４０の位置が確認できるようになっている。
【００３７】
また、保持具本体１１は、丸棒３５の周面を操作可能に露出させる操作窓３０を備えている。本実施形態においては、複数のボルト挿入孔２８に対応して、それぞれのボルト挿入孔２８の下方に操作窓３０が形成されている。この操作窓３０は、図１に示すように、シート体４０を保持する丸棒３５を視認できるように開口している。このため、例えば、シート体４０をシート保持具１０から取り外すときに、丸棒３５がシート体４０に食い込んで動かない場合でも、操作窓３０からドライバなどを挿入して丸棒３５を持ち上げて、シート体４０と丸棒３５との摩擦係合を解除することができる。
【００３８】
上記したシート保持具１０でシート体４０を保持するときには、図３（ａ）に示すように、締結部材３６を緩めて上動させる。これにより、挿入空間２５が広くなるので、丸棒３５が上方に移動できるようになる。この状態で開口部２６からシート体４０を挿入する。シート体４０を挿入するときには、確認窓２９からシート体４０の位置を確認しつつ作業することができる。
【００３９】
シート体４０を挿入したら、図３（ｂ）に示すように、締結部材３６を締結して下動させる。すると、締結部材３６の先端３６ａが丸棒３５を開口部２６の方向へ押し込む。このとき、挿入空間２５は開口部２６に向けて徐々に狭くなるように形成されているため、押し込まれた丸棒３５によってシート体４０が押圧される。それ以上は丸棒３５を押し込めない位置まで締結部材３６を締結すれば、丸棒３５と背面板１２とによってシート体４０が挟み込まれるので、シート体４０を強く保持することができる。この状態でシート体４０を引き抜こうとする力が加わっても、丸棒３５を巻き込む方向に力が加わるので、シート体４０が抜けることはない。
【００４０】
なお、保持したシート体４０をシート保持具１０から取り外すときには、図３（ａ）に示すように、締結部材３６を緩めて上動させればよい。これにより、丸棒３５が上方に移動できるようになるので、丸棒３５による摩擦力を解除してシート体４０を引き抜くことができる。なお、丸棒３５がシート体４０に食い込んでしまっている場合には、操作窓３０からドライバなどを挿入して丸棒３５を持ち上げて外せばよい。
【００４１】
このようなシート保持具１０によれば、図４に示すように、複数のシート保持具１０のそれぞれにシート体４０を保持させるような使用方法も可能である。このとき、シート体４０の間に隙間を作りたくない場合でも、隣り合うシート体４０を重ね合わせることができる。すなわち、上記したように、側壁部２０がシート体４０の挿入方向に見て開口部２６に重ならない位置に設けられているため、シート保持具１０の長手方向の幅よりも広い幅のシート体４０を保持することができる。このため、図４に示すように、隣り合うシート体４０を重ね合わせることも可能となる。また、図５に示すように、複数のシート保持具１０によって、幅の広い１枚のシート体４０を保持させるような使用方法も可能となる。
【００４２】
以上説明したように、本実施形態によれば、保持具本体１１の開口部２６からシート体４０を挿入して締結部材３６を締結したときに、締結部材３６の先端３６ａが丸棒３５を開口部２６の方向へ押し込み、丸棒３５がシート体４０を押圧して保持するようになっている。このような構成によれば、自重などで大きな負荷がかかる場合でも、締結部材３６の締結力で確実にシート体４０を保持することができる。しかも、丸棒３５を動かすために大きな力が必要ないので、シート体４０の保持や解除も容易である。また、シート体４０に穴を開けなくてもシート体４０を保持することができるので、作業性が良く、シート体４０が裂ける心配もない。
【００４３】
また、保持具本体１１は、締結部材３６に螺合するめねじ部２８ａを備える。このような構成によれば、保持具本体１１に締結部材３６を螺着させるだけでシート体４０が保持できるので、シート保持具１０の構成をシンプルにし、かつ、部品点数を少なくすることができる。具体的には、保持具本体１１と丸棒３５と締結部材３６の３つの構成部品でシート保持具１０を構成することができ、しかも、丸棒３５と締結部材３６は汎用品を使用できるので、シート保持具１０の製造コストを抑制することができる。
【００４４】
また、保持具本体１１は、丸棒３５が挿入空間２５から脱落しないように、丸棒３５の両端部に臨む側壁部２０を備え、側壁部２０は、シート体４０の挿入方向に見て開口部２６に重ならない位置に設けられている。このような構成によれば、保持具本体１１よりも幅の広いシート体４０を開口部２６から挿入したとしても、シート体４０が側壁部２０に干渉しない。よって、シート保持具１０で保持できるシート体４０の幅が限定されないので、使い勝手が良い。
【００４５】
また、保持具本体１１は、挿入空間２５に挿入したシート体４０の端部を視認可能に露出させる確認窓２９を備える。このような構成によれば、シート体４０を開口部２６から挿入するときに、シート体４０の位置（例えば、シート体４０が奥まで差し込まれているかどうか）を確認しながら作業することができる。また、確認窓２９から手などを入れてシート体４０を押さえながら作業することもできる。よって、シート体４０を確実に意図した位置に固定することができ、作業性が良い。
【００４６】
また、保持具本体１１は、丸棒３５の周面を操作可能に露出させる操作窓３０を備える。このような構成によれば、シート体４０を着脱するときに操作窓３０からドライバなどを挿し込んで丸棒３５を持ち上げることで、丸棒３５による押圧を解除することができる。すなわち、丸棒３５を持ち上げるための特別な構成を備えなくても、丸棒３５を容易に持ち上げることができる。
【００４７】
また、前面板１３の傾斜は複数段階である。このような構成によれば、開口部２６から遠い側では傾斜を小さくして、前面板１３の突出を抑え、保持具本体１１をコンパクトに保つことができる。また、開口部２６に近い側では傾斜を大きくすることで、丸棒３５でシート体４０を押圧する力を働きやすくし、様々な厚みのシート体４０を保持可能とすることができる。
【符号の説明】
【００４８】
１０  シート保持具
１１  保持具本体
１２  背面板
１２ａ  拡開縁
１３  前面板
１４  庇部
１５  前壁部
１６  第１傾斜部
１７  第２傾斜部
１８  屈折部
１９  拡開縁
２０  側壁部
２５  挿入空間
２６  開口部
２７  取り付け孔
２８  ボルト挿入孔
２８ａ  めねじ部
２９  確認窓
３０  操作窓
３５  丸棒
３６  締結部材
３６ａ  先端
４０  シート体
【図１】
2019018521.tif 000003
【図２】
2019018521.tif 000004
【図３】
2019018521.tif 000005
【図４】
2019018521.tif 000006
【図５】
2019018521.tif 000007